(57)【要約】【課題】高さの異なる複数の食品充填容器をがたつくことなく保持することができる容器ホルダを提供する。【解決手段】本考案は、食品充填容器を保持する容器ホルダであって、上面、下面、前側面、及び後側面を有する矩形筒状のホルダ本体と、前記前側面及び後側面の複数の異なる高さ位置にそれぞれ対向するように設けられた、水平方向に長い複数対の孔部とを有することを特徴とする。本考案の容器ホルダは１枚の長方形状のブランクを折り曲げて組み立てることにより形成することができる。【選択図】図１
0003180986.tif 000002
【実用新案登録請求の範囲】
【請求項１】
食品充填容器を保持する容器ホルダであって、
上面、下面、前側面、及び後側面を有する矩形筒状のホルダ本体と、
前記前側面及び後側面の複数の異なる高さ位置にそれぞれ対向するように設けられた、水平方向に長い複数対の孔部と
を有することを特徴とする容器ホルダ。
【請求項２】
前記前側面と前記下面の境界部分には該前側面から該下面を通して延びる一対の切り込みが、前記後側面と前記下面の境界部分には該後側面から該下面を通して延びる一対の切り込みが、それぞれ形成されており、該切り込みで挟まれた部分を前記ホルダ本体の内側に折り込むことにより段部が形成可能に構成されていることを特徴とする請求項１に記載の容器ホルダ。
【考案の詳細な説明】
【技術分野】
【０００１】
本考案は、瓶詰や缶詰等の食品充填容器を包装箱に収容する際に用いられる容器ホルダに関する。
【背景技術】
【０００２】
従来より、海苔等の佃煮やシロップ漬け果物、ジャム、塩水漬け野菜といった様々な食品或いは食材が、ガラス瓶や金属缶等の容器に充填されて販売されている。また、ヨーグルトやプリン、ゼリーといった流動体あるいは半流動体状（半固体状）の食品も、プラスチックや紙製の容器に充填されて販売されている。
【０００３】
このように食品が充填された容器（以下、「食品充填容器」という。）を梱包箱や化粧箱等の箱に収容する場合、箱と容器との間に隙間があると、持ち運び時に箱内で容器ががたついたり、破損したりする。容器のがたつきや破損を防止するためには、食品充填容器の高さと合致する深さの箱を用いる必要があるが、様々な高さの食品充填容器に合わせようとすると箱の種類が増えてしまい、経済的にも管理的にも負担が大きい。
【０００４】
これに対して、特許文献１には、被収容物の高さに合わせて深さを変更できる梱包箱が開示されている。この梱包箱は、側壁から底面にかけて延びる平行な一対のスリットを各側壁に設け、該スリット間の部分を梱包箱内に折り曲げることにより高さ調整用の段部が形成されるようになっている。複数組の段部の高さ（スリットの長さ）はそれぞれ異なっており、被収容物の高さに応じた段部を形成し、その上に底板を載せることにより、包装箱の深さを変更することができる。
【先行技術文献】
【特許文献】
【０００５】
【特許文献１】実開昭63-171331号公報
【考案の概要】
【考案が解決しようとする課題】
【０００６】
上記のような梱包箱に複数の食品充填容器を収容する場合、これらが全て同じ高さである場合には問題がない。しかし、高さの異なる複数の食品充填容器を収容する場合、一番背が高い容器に箱の深さを合わせる必要があるため、全ての容器のがたつき等を防止することができない。
【０００７】
本考案が解決しようとする課題は、高さの異なる複数の食品充填容器をがたつくことなく保持することができる容器ホルダを提供することである。
【課題を解決するための手段】
【０００８】
上記課題を解決するために成された本考案は、食品充填容器を保持する容器ホルダであって、
上面、下面、前側面、及び後側面を有する矩形筒状のホルダ本体と、
前記前側面及び後側面の複数の異なる高さ位置にそれぞれ対向するように設けられた、水平方向に長い複数対の孔部と
を有することを特徴とする。
【０００９】
本考案の容器ホルダによれば、食品充填容器の容器の高さに応じた高さ位置にある孔部に該容器の上端の外周縁や該容器の蓋の外周縁を挿入することにより、食品充填容器がホルダ本体に保持される。
本考案の容器ホルダは単独で用いても良く、化粧箱や梱包箱等の中に入れる内箱として用いても良い。また、一つの化粧箱や梱包箱等の中に複数の容器ホルダを入れても良い。上記ホルダ本体は、１枚の厚紙や段ボールを矩形筒状に折り曲げて作製することができる。
【００１０】
上記容器ホルダにおいては、前記前側面と前記下面の境界部分には該前側面から該下面を通して延びる一対の切り込みが、前記後側面と前記下面の境界部分には該後側面から該下面を通して延びる一対の切り込みが、それぞれ形成されており、該切り込みで挟まれた部分を前記ホルダ本体の内側に折り込むことにより段部が形成可能に構成されているとよい。上記構成によれば、背の低い食品充填容器を段部に載置することにより該食品充填容器の上面と、背の高い食品充填容器の上面の位置を揃えることができる。また、細い食品充填容器を容器ホルダに収容する場合は、該食品充填容器の下部付近を前記段部の間に挟むことによって、前記食品充填容器のがたつきを防止することができる。
【考案の効果】
【００１１】
本考案の容器ホルダによれば、様々な高さの複数の食品充填容器をがたつくことなく保持することができる。
【図面の簡単な説明】
【００１２】
【図１】本考案の一実施例である容器ホルダの斜視図(a)、上面図(b)、側面図(c)。
【図２】容器ホルダの展開図。
【図３】容器ホルダのA-A'断面の模式図であって、(a)は容器を収容していないときの図、(b)は容器を縁保持孔で保持したときの図、(c)は容器を蓋保持孔で保持したときの図、(d)は容器を窓部で保持したときの図。
【図４】容器ホルダのB-B'断面の模式図であって、高さの異なる縁付き容器と蓋付き容器を並べて収容したことを示す図。
【図５】容器ホルダの内部構造を示す斜視図であって、(a)は個別調整部を立てていないときの図、(b)は個別調整部を立てたときの図。
【図６】個別調整部を立てたときの容器ホルダのA-A'断面の模式図であって、(a)は容器を収容していないときの図、(b)は容器を縁保持孔で保持したときの図、(c)は容器を蓋保持孔で保持したときの図、(d)は容器を個別調整部で挟持したときの図。
【図７】一方の個別調整部を立てたときの容器ホルダのB-B'断面の模式図であって、高さの異なる２つの縁付き容器を並べて収容したことを示す図。
【図８】容器ホルダ全体の高さを調整したときの斜視図。
【考案を実施するための形態】
【００１３】
本考案に係る容器ホルダの具体的な実施例を図１〜図８を参照しながら説明する。
【実施例】
【００１４】
図１は本実施例の容器ホルダの全体構成を示している。容器ホルダは、１枚のブランク１０（図２参照）を折り曲げて組み立てた四角筒状のホルダ本体１からなる。ホルダ本体１は、上面１１、第１側面１２、下面１３、第２側面１４を有している。第１側面１２及び第２側面１４は本考案の前側面及び後側面に相当する。本実施例の容器ホルダは２個の食品充填容器を収容できるようになっており、ミシン線５５で切り離すことにより１個の食品充填容器を収容する容器ホルダに２分割できるようになっている。
ホルダ本体１の上面１１には、２個の円状の窓部６１と、各窓部６１を挟んだ両側に突出する鍔部６２ａ、６２ｂが設けられている。鍔部６２ａ、６２ｂは、窓部６１と同心の円弧状をなしている。また、第１側面１２及び第２側面１４の上端には、鍔部６２ａ、６２ｂと同一形状の長孔７１ａ、７１ｂが設けられている。これら長孔７１ａ、７１ｂは鍔部６２ａ、６２ｂを切り起こすことにより形成される。
【００１５】
第１側面１２及び第２側面１４の上下方向中央部には、略台形状に切り抜かれた蓋保持孔６３ａ、６３ｂがそれぞれ形成されている。また、第１側面１２及び第２側面１４の下部よりの部分には、折れ線６４ａ、６４ｂ６４ａ、６４ｂが横いっぱいに形成されている。さらに、第１側面１２及び第２側面１４の下部には折れ線よりも下に延びるハの字状の切り込み６５ａ及び６５ｂとハの字状の切り込み７０ａ及び７０ｂがそれぞれ形成されている。
【００１６】
一方、下面１３には、前記切り込み６５ａ、６５ｂと繋がる切り込み６６ａ、６６ｂ、及び前記切り込み７０ａ、７０ｂに繋がる切り込み６８ａ、６８ｂがそれぞれ形成されている。切り込み６６ａ、６６ｂの端部同士、及び切り込み６８ａ、６８ｂの端部同士は折れ線６７、６９で繋がっている。なお、切り込みと区別するために、折れ線６４ａ、６４ｂ、６７、６９及び後述する境界線５１〜５４は点線で示している。
【００１７】
上記構成の容器ホルダは、図２に示すブランク１０を折り曲げて組み立てることにより形成される。ブランク１０は、容器ホルダの上面１１、第１側面１２、下面１３、第２側面１４に相当する部分を境界線５１、５２、５３で繋いだもので、第２側面１４には、さらに境界線５４で繋がる糊代１５が設けられている。ブランク１０には、ホルダ本体１の各部に相当する部分が形成されており、ここでは、容器ホルダと同一の符号を付して、詳しい説明を省略する。
【００１８】
上記ブランク１０を境界線５１、５２、５３で山折りし、糊代１５を上面１１の内側に接着することによりホルダ本体１が形成される。境界線５１、５４を山折りすることにより、鍔部６２ａ、６２ｂが切り起こされ、それに伴い長孔（以下、「縁保持孔」とする）７１ａ、７１ｂが形成される。
【００１９】
次に、本実施例の容器ホルダの基本的な使用方法を、図３の模式図を用いて説明する。本実施例の容器ホルダに収容する容器としては、例えばプリンやゼリーの容器のような、容器上面の外周に設けられた縁にフィルム状のカバーが貼付される縁付き容器や、ジャムの容器のような、容器上面に蓋が装着される蓋付き容器がある。
【００２０】
図３(a)は、図１(b)のA-A'断面を模式的に表した図である。ホルダ本体１を構成する紙の厚みは実際には極めて薄いが、この図では窓部６１と、蓋保持孔６３ａ、６３ｂと、縁保持孔７１ａ、７１ｂの位置を分かりやすくするために、紙の厚みを実際のものよりも厚く示している。
【００２１】
図３(b)は、縁付き容器２１の上面外周に設けられた縁を縁保持孔７１ａ、７１ｂに嵌めることにより、該縁付き容器２１を容器ホルダに収容、保持したものである。この容器ホルダに収容された縁付き容器２１の上面のカバーは、上面１１側から窓部６１を通して覗くことができるため、収容した商品の確認が容易となる。一方、縁保持孔７１ａ、７１ｂに嵌められた縁は、鍔部６２ａ、６２ｂにより隠れ、上面１１側からは見えないため、商品を収容した後の容器ホルダの外観が向上する。
【００２２】
図３(c)は、図３(b)の縁付き容器２１とは高さの異なる蓋付き容器２２の蓋を蓋保持孔６３ａ、６３ｂに嵌めることにより、該蓋付き容器２２を容器ホルダに収容、保持したものである。この場合も、蓋付き容器２２の蓋を上面１１側から窓部６１を通して覗くことができる一方、蓋保持孔６３ａ、６３ｂに嵌められた蓋は鍔部６２ａ、６２ｂにより隠れる。
【００２３】
図３(d)は、窓部６１の内周に容器２３を嵌めることにより、該容器２３を収容、保持する例を示したものである。これにより、縁付き容器２１や蓋付き容器２２とも高さの異なる容器２３を容器ホルダに収容、保持することが可能となる。
【００２４】
図４は、高さの異なる縁付き容器２１と蓋付き容器２２を容器ホルダに並べて収容したときの、図２(b)のB-B'断面を模式的に表した図である。この図では見えないが、縁付き容器２１の縁は、図３(b)に示すように縁保持孔７１ａ、７１ｂに嵌められ、蓋付き容器２２の蓋は、図３(c)に示すように蓋保持孔６３ａ、６３ｂに嵌められている。そのため、高さの異なる縁付き容器２１と蓋付き容器２２を、がたつかないように並べて保持することができる。
【００２５】
図５(a)は、容器ホルダの内部構造を示す斜視図である。この図に示す折れ線６４ａ、６７、切り込み６５ａ、６５ｂ、６６ａ、６６ｂに囲まれた領域を個別調整部７２ａとする。また、折れ線６４ｂ、６９、切り込み６８ａ、６８ｂ、７０ａ、７０ｂに囲まれた領域を個別調整部７２ｂとする。これら個別調整部７２ａ、７２ｂは、ホルダ本体１の内側に向けて折り曲げることにより、椅子のように立てることができる（図５(b)）。図５(b)のように立てた個別調整部７２ａ、７２ｂは本考案の段部に相当する。このような立てた個別調整部７２ａ、７２ｂを用いることにより、後述する図６の(b)〜(d)に示すように、容器を収容、保持することが可能となる。
【００２６】
図６(a)は、個別調整部７２ａ、７２ｂを立てた状態でのA-A'断面を模式的に表した図である。ここで、下面１３から個別調整部７２ａ、７２ｂの上面までの高さをｈ１、蓋保持孔６３ａ、６３ｂまでの高さをｈ２、縁保持孔７１ａ、７１ｂまでの高さをｈ３とする。
【００２７】
図６(b)は個別調整部７２ａ、７２ｂの上面から縁保持孔７１ａ、７１ｂまでの高さ（すなわちｈ３−ｈ１）を有する縁付き容器３１を収容、保持したことを示す図である。また、図６(c)は、個別調整部７２ａ、７２ｂの上面から蓋保持孔６３ａ、６３ｂまでの高さ（すなわちｈ２−ｈ１）を有する蓋付き容器３２を収容、保持したことを示す図である。このように、個別調整部７２ａ、７２ｂを立てた状態では、高さｈ３−ｈ１の縁付き容器３１と、高さｈ２−ｈ１の蓋付き容器３２を収容、保持することができる。
【００２８】
図６(d)は、個別調整部７２ａ、７２ｂを立て、該個別調整部７２ａ、７２ｂにより容器３３を挟持することにより、該容器３３を収容、保持する例を示したものである。これにより、窓部６１より幅（又は径）の狭い容器３３を収容、保持することもできる。
【００２９】
図７は、高さの異なる縁付き容器２１、３１をホルダ本体１に並べて収容したときの、B-B'断面を模式的に表した図である。この図では、縁付き容器２１の側では個別調整部７２ａ、７２ｂを立てない状態で、縁付き容器３１の側では個別調整部７２ａ、７２ｂを立てた状態で、縁付き容器２１、３１を容器ホルダに収容している。このように、本実施例の容器ホルダでは、個別調整部７２ａ、７２ｂを一方の容器に対してだけ又は両方の容器に対して立てることが可能である。
【００３０】
図８は、折れ線６４ａ、６４ｂに沿って内側に第１側面１２と第２側面１４を折り曲げることにより、ホルダ本体１の全体の高さを調整したことを示す図である。これにより、ホルダ本体１の全体の高さを、ｈ３−ｈ１からｈ３の間で調整することができるため、更に多数の種類の容器に対応することができる。
【符号の説明】
【００３１】
１…ホルダ本体
１０…ブランク
１１…上面
１２…第１側面
１３…下面
１４…第２側面
１５…糊代
５１〜５４…境界線
５５…ミシン線
６１…窓部
６２ａ、６２ｂ…鍔部
６３ａ、６３ｂ…蓋保持孔
６４ａ、６４ｂ、６７、６９…折れ線
７１ａ、７１ｂ…縁保持孔
７２ａ、７２ｂ…個別調整部
【図１】
0003180986.tif 000003
【図２】
0003180986.tif 000004
【図３】
0003180986.tif 000005
【図４】
0003180986.tif 000006
【図５】
0003180986.tif 000007
【図６】
0003180986.tif 000008
【図７】
0003180986.tif 000009
【図８】
0003180986.tif 000010